(57)【要約】【課題】従来、高濃度の酸素気泡を浴槽２２に噴出した場合、水流と気泡が一定角度で浴槽２２内へ噴出留するため、気泡３６の到達距離が一定で脚部へ熱いお湯が直接当たるという課題を有していた。【解決手段】給湯装置１０内部の酸素富化装置２３で発生した高濃度の酸素を酸素配管２７により追い焚きアダプター２１に混入させ浴槽２２内へ湯とともに噴出し、噴出角度を可変可能なノズル３２を設ける構成とすることで、気泡噴出角度と気泡到達距離を変え、追い焚き時の脚部へ熱いお湯が直接当たることなく酸素気泡入浴を楽しむことができる。【選択図】図１
2005211393.tif 000002
【特許請求の範囲】
【請求項１】
給湯装置のポンプにより浴槽の湯が循環する追い焚き循環回路と、前記浴槽に設けた追い焚きアダプターと、前記給湯装置内部で高濃度の酸素を供給する酸素富化装置と、前記酸素富化装置で発生した高濃度の酸素を酸素配管により前記追い焚きアダプターに混入させ前記浴槽内へ湯とともに噴出し、噴出角度を下方へ変更する略くの字をしたノズルを設けた酸素富化給湯装置。
【請求項２】
下方へ噴出するノズルが回頭自在となる請求項１記載の酸素富化給湯装置。
【請求項３】
ノズルを複数個設け、追い焚きアダプターのノズルフォルダーを回転させることで噴出角度を可変可能な構成した請求項１記載の酸素富化給湯装置。
【請求項４】
ノズルの内部に内径を可変する接合体を脱着可能に構成した請求項１または２記載の酸素富化給湯装置。
【請求項５】
追い焚きアダプターのノズルを着脱自在とし、曲がり角度が違う前記ノズルを取り替えることで気泡の噴出角度が可変である請求項１記載の酸素富化給湯装置。
【請求項６】
追い焚きアダプターのノズルを着脱自在とし、内径が違う前記ノズルを取り替えることで気泡の噴出距離が可変である請求項１記載の酸素富化給湯装置。
【発明の詳細な説明】
【技術分野】
【０００１】
本発明は、浴槽の湯を加熱し循環させる回路に、高濃度の酸素を混入し浴槽内の浴槽湯へ放出する酸素富化給湯装置に関するものである。
【背景技術】
【０００２】
従来の酸素富化装置は、浴槽湯循環回路の浴槽水に高濃度の酸素を供給するものがある（例えば特許文献１参照）。図８は、特許文献１に記載された従来の酸素富化浴槽装置を示すものである。図８に示すように、浴槽１の湯水を循環させるポンプ２と管路３に気体を供給する供給部４を設け、供給部４に酸素富化空気を供給する酸素富化装置５を設け、浴槽１には吸入口６と吹き出しノズル７を設けて構成される。通常の浴槽湯循環装置は浴室８内の浴槽１近傍へ設置される。
【特許文献１】特開平４−２３４７号公報
【発明の開示】
【発明が解決しようとする課題】
【０００３】
しかしながら上記特許文献１の従来の酸素供給装置では、浴槽湯循環回路と酸素富化装置を浴室８内に設置し、浴槽湯を循環させる回路へ高濃度の酸素を供給する構成である。浴室内の空気を使い酸素富化された空気は浴槽１内へ気泡として噴出されるが、ノズルの構成が開示されていないため気泡の噴出状態は一定であり各種噴出形態を可変できる効果が期待できないという課題を有していた。
【０００４】
本発明は前記従来の課題を解決するもので、追い焚きアダプターのノズルの角度や内径を変化させることができる構成とすることで、酸素富化された気泡を遠くまで到達することや脚部へ追い焚きによる熱いお湯が当たることを避けることが実現できる酸素富化給湯装置を提供することを目的とする。
【課題を解決するための手段】
【０００５】
前記従来の課題を解決するために、本発明の酸素富化給湯装置は、給湯装置のポンプにより浴槽の湯が循環する追い焚き循環回路と、浴槽に設けた追い焚きアダプターと、給湯装置内部で高濃度の酸素を供給する酸素富化装置と、酸素富化装置で発生した高濃度の酸素を酸素配管により追い焚きアダプターに混入させ浴槽内へ湯とともに噴出し、噴出角度を可変するノズルを設ける構成としたものである。
【０００６】
これによって、酸素富化装置で高濃度にした酸素が生成され、酸素配管を通り追い焚きアダプターの噴出角度や方向を可変可能なノズルから浴槽内へ高濃度の酸素気泡を水流と共に噴出させる。
【発明の効果】
【０００７】
本発明の酸素富化給湯装置は、高濃度酸素空気の気泡入浴によりリラックスできるとともに、気泡噴出角度や方向を可変することで気泡到達距離を伸縮自在とし、追い焚き時の湯の噴出する方向や角度を変更し脚部へ熱いお湯が直接当たることなく酸素気泡入浴を楽しむことができる。
【発明を実施するための最良の形態】
【０００８】
第１の発明は、給湯装置のポンプにより浴槽の湯が循環する追い焚き循環回路と、浴槽に設けた追い焚きアダプターと、給湯装置内部で高濃度の酸素を供給する酸素富化装置と、酸素富化装置で発生した高濃度の酸素を酸素配管により追い焚きアダプターに混入させ浴槽内へ湯とともに噴出し、噴出角度を下方向へ可変する略くの字をしたノズルを設ける構成とすることで、気泡噴出角度を可変することで気泡到達距離を伸縮自在とし、追い焚き時の湯の噴出する角度を変更し脚部へ熱いお湯が直接当たることなく入浴を楽しむことができる。
【０００９】
第２の発明は、特に、第１の発明のズルを回頭自在とすることで噴出方向を変えることが可能となり、簡単な構成で吹き出す方向を変更できる。
【００１０】
第３の発明は、特に、第１の発明のズルを複数個設け、追い焚きアダプターのノズルフォルダーを回転させることで噴出角度を変えることができるように構成することで、簡単な構成と動作で複数の気泡達距離を実現することができる。
【００１１】
第４の発明は、特に、第１の発明のノズルの内部に内径を可変する接合体を脱着可能な構成とすることで、使用者の好みに応じた気泡達距離を実現することができる。
【００１２】
第５の発明は、特に、第１の発明の追い焚きアダプターのノズルを着脱自在とし曲がり角度が違うノズルを取り替えることで、追い焚き時の湯の噴出する角度を変更し脚部へ熱いお湯が直接当たることなく入浴を楽しむことができる。
【００１３】
第６の発明は、特に、第１の発明の追い焚きアダプターのノズルを着脱自在とし内径が違うノズルを取り替えることで、酸素運転時の気泡噴出速度を可変することで、使用者の好みに応じた気泡達距離を実現することができる。
【００１４】
以下、本発明の実施の形態について、図面を参照しながら説明する。従来例および各実施の形態において、同じ構成、同じ動作をする部分については同一符号を付与し、詳細な説明を省略する。なお、この実施の形態によって本発明が限定されるものではない。
【００１５】
（実施の形態１）
図１は本発明実施例１の酸素富化給湯装置のシステム全体構成図であり、図２は追い焚きアダプターの断面図であり、図３は追い焚きアダプター正面図である。
【００１６】
図１〜図３において、給湯装置１０は給湯回路１１と追い焚き循環回路１２を有する１缶２水熱交換器１３と、１缶２水熱交換器１３を加熱するバーナ１４と、バーナ１４に燃焼空気を送るバーナファン１５と、燃焼空気を吸気する吸気口１６と排出する排気口１７を設けて構成される。給湯回路１１の水は熱交換器１３で加熱されてカラン１８等から吐出される。追焚き循環回路１２には、ポンプである風呂ポンプ２０を設け、風呂ポンプ２０から出た浴槽湯の循環水は熱交換器１３で加熱された後、追い焚きアダプター２１から浴槽２２に噴出する。ここで、給湯装置１０内部に設けた酸素富化装置２３は酸素富化膜２４と、送風ファン２５と、真空ポンプ２６と、酸素配管２７と、制御手段２８で構成され、浴室２９外の空気から高濃度にした酸素富化空気は酸素配管２７を通り追い焚きアダプター２１から浴槽２２内へ噴出する。酸素富化装置２３は外部入力装置であるリモコン３０で制御される。リモコン３０のスイッチ操作で酸素運転を実行できる。
【００１７】
次に、図２において追い焚きアダプター２１は、フォルダー３１と、ノズル３２と、ケース３３から形成されており、それぞれがオーリングやパッキン等でシールされ浴槽２２に取り付けられている。酸素配管２７から送られてきた高濃度酸素は、フォルダー３１の追い焚き循環回路１２で浴槽２２へ噴出する往き回路１２−Ａに混入し、ノズル３２の後端部３７より入り下方向へ流路をくの字に曲げたノズル３２の先端部３４から水流とともに気泡３６となって浴槽２２内へ噴出する。浴槽湯はケース３３のフィルター３５を通過してフォルダー３１へ流れ追い焚き循環回路１２の戻り回路１２−Ｂから給湯装置１０へ循環する。ノズル３２は左右に回転することができ、噴出方向を任意に変更できる。
【００１８】
以上のように構成された酸素富化給湯装置について、以下その動作、作用を説明する。リモコン３０の操作で制御手段２８により酸素運転を開始し、真空ポンプ２６で減圧されることで室外の空気が酸素富化膜２４を通過し、高濃度の酸素（約３０％）となりフォルダー３１内の追い焚き循環回路１２の往き回路１２−Ａに混入され、ノズル３２の先端部３４から循環された浴槽湯と共に浴槽２２内に下方へ気泡３６として噴出する。高濃度の酸素気泡３６は浴槽２２湯の中を通過し、その後浴室２９内に拡散する。
【００１９】
この結果、入浴者は浴室２９内の空気から得られた高濃度の酸素を吸いながら入浴することが可能で、入浴と高濃度酸素吸入によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。さらに、ノズル３２を左右へ回転させることで、浴槽２２の下方のみならず左右方向へ噴出させることが可能である（図２（ｂ）参照）。したがって、入浴者が狭い浴槽２２内で姿勢を変えることなく、気泡や追い焚き時の熱い湯を直接脚部等に当てないようにすることができる。
【００２０】
（実施の形態２）
図４は本発明の第２の実施の形態における酸素富化給湯装置の追い焚きアダプターの断面図と、図５は同追い焚きアダプターの正面図である。なお、第１の実施の形態の酸素富化給湯装置と同一構造のものは同一符号を付与し、説明を省略する。図４〜５において、第１の実施の形態の構成と異なるところは、追い焚きアダプターに３個のそれぞれ噴出角度の異なるノズルを吹き出し中心から偏心させて設け、ノズルフォルダー３８を回転させることで複数のノズルを選択することができる点にある。
【００２１】
以上の構成で、その動作、作用について説明する。図に示す実施の形態の酸素富化給湯装置において複数あるノズル３２をノズルフォルダー３８が回転することで選択し、例えばノズル３２の下向き角度が大きい場合には足さきに水流が来るため追い焚き運転時の熱い湯水が脚部に当たることを回避することができる。また、ノズル角度が浅く水平方向に近いノズルを選択すると、気泡の到達距離が伸びるため、酸素気泡が浴槽に浸かった人の顔近傍まで到達し心地よい気泡入浴を楽しめる。さらに、先ほど示した例の中間ノズル角度とすることで、脚部へ酸素気泡を当てることができ脚部へ気泡水流の刺激が伝わり湯冷めのしにくい効果が得られるものである。このように、ノズルを複数個備え使用者が選択できる構成とすることで、追い焚き運転時の噴出角度と気泡運転時の噴出角度を好みの角度に変更できるため使い勝手の良さを実現できる。
【００２２】
この結果、入浴者は浴室１１外の空気から得られた高濃度の酸素を吸いながら入浴することが可能で、入浴と高濃度酸素吸入と静かな気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００２３】
本実施例では３個のノズルを設けた例ついて述べたが２個もしくは４個以上であっても同様の効果を発揮することができる。
【００２４】
（実施の形態３）
図６は本発明の第３の実施の形態における酸素富化給湯装置の追い焚きアダプター２１の断面図であり、図７は他の実施例のノズル部断面図である。なお、第１の実施の形態および第２の実施の形態の酸素富化給湯装置と同一構造のものは同一符号を付与し、説明を省略する。図６において、第１の実施の形態および第２の実施の形態の構成と異なるところは、追い焚きアダプター２１のノズル３２の先端部３４に接合体である小径ノズル３９が設けられている点にある。
【００２５】
以上の構成とすることにより、ノズル３２の流路の内径が先端部３４で小径ノズル３９により狭められるため、ノズル先端３４から噴出する流速が増し酸素気泡を浴槽２２内の遠くへ噴出させることができる。小径ノズル３９を着脱することで、使用者の好みに応じた気泡達距離を実現することができる。
【００２６】
また、図７において異なるところは、ノズル３２の後端部３７の内径Ｄ１より先端部３４の内径Ｄ２の方が流路狭くなると共に曲がり角度も大きくなっている点にある。この構成により気泡噴出速度が速くなり勢いよく足先に気泡水流を当てることが可能となり足先に温熱刺激を与え足先の湯冷めがしにくい効果を発揮することができる。
【００２７】
また、入浴者は浴室１１外の空気から得られた高濃度の酸素を吸いながら入浴することが可能で、入浴と高濃度酸素吸入と静かな気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【産業上の利用可能性】
【００２８】
本発明は、バスルームに高濃度の酸素を導入することにより、入浴者のリラクゼーション効果を発揮することができ、産業上の利用可能性を有する。
【図面の簡単な説明】
【００２９】
【図１】本発明の実施の形態１における酸素富化給湯装置の全体構成図
【図２】（ａ）本発明の実施の形態１における酸素富化給湯装置の追い焚きアダプター断面図（ｂ）同追い焚きアダプターのノズルを回動させる動作を示す部品図
【図３】本発明の実施の形態１における酸素富化給湯装置の追い焚きアダプター正面図
【図４】本発明の実施の形態２における酸素富化給湯装置の追い焚きアダプター断面図
【図５】本発明の実施の形態２における酸素富化給湯装置の追い焚きアダプター正面図
【図６】本発明の実施の形態３における酸素富化給湯装置の追い焚きアダプター断面図
【図７】本発明の実施の形態３における酸素富化給湯装置のノズル断面図
【図８】従来の酸素富化給湯装置の全体構成図
【符号の説明】
【００３０】
１０  給湯装置
１２  追い焚き循環回路
２０  ポンプ
２１  追い焚きアダプター
２２  浴槽
２３  酸素富化装置
２７  酸素配管
３２  ノズル
３８  ノズルフォルダー
３９  接合体
【図１】
2005211393.tif 000003
【図２】
2005211393.tif 000004
【図３】
2005211393.tif 000005
【図４】
2005211393.tif 000006
【図５】
2005211393.tif 000007
【図６】
2005211393.tif 000008
【図７】
2005211393.tif 000009
【図８】
2005211393.tif 000010